(57)【要約】【課題】  全身式のボディシェイパーであって、使用時にその生地が使用者の下体に入り込んで不快感を起こさなく、使用中の活動性を向上できるボディシェイパーを提供するものである。【解決手段】  人体のお尻部に対応する位置に尻向上部が設けられる本体を有するボディシェイパーであって、前記本体は、内部生地と外部生地を縫製して構成され、前記尻向上部には、人体の陰部に対応する補強構造が設けられ、前記補強構造は、前記本体の下部を開口する可能な第１のファスナーと、前記第１のファスナーの両側に設けられる第２のファスナーとが構成され、前記補強構造の幅は前記陰部と等しく、前記第２のファスナーの硬さが前記第１のファスナーの硬さと等しいことにより、前記第２のファスナーが前記第１のファスナーを支持して、前記第１のファスナーが使用者の陰部に入り込んでしまうことが防止できることを特徴とするボディシェイパーを提供する。【選択図】図１
2019035166.tif 000002
【特許請求の範囲】
【請求項１】
人体のお尻部に対応する位置に尻向上部が設けられる本体を有するボディシェイパーであって、前記本体は、内部生地と外部生地を縫製して構成され、前記尻向上部には、人体の陰部に対応する補強構造が設けられ、前記補強構造は、前記本体の下部を開口する可能な第１のファスナーと、前記第１のファスナーの両側に設けられる第２のファスナーとが構成され、前記補強構造の幅は前記陰部と等しく、前記第２のファスナーの硬さが前記第１のファスナーの硬さと等しいことにより、前記第２のファスナーが前記第１のファスナーを支持して、前記第１のファスナーが使用者の陰部に入り込んでしまうことが防止できることを特徴とするボディシェイパー。
【請求項２】
前記補強構造は、前記内部生地に縫製され、前記外部生地には、前記補強構造に対応する隠すファスナーが設けられることにより、前記補強構造の露出を防止することができることを特徴とする請求項１に記載のボディシェイパー。
【請求項３】
前記隠すファスナーは、さらに前記内部生地に縫製され、前記内部生地と縫製しない部分には、距離が形成されることにより、引張力を受ける時に前記隠すファスナーが両側へ延伸する空間を提供できることを特徴とする請求項２に記載のボディシェイパー。
【発明の詳細な説明】
【技術分野】
【０００１】
本発明は、ボディシェイパーに関するものであり、特に全身式のボディシェイパーであって、使用時にその生地が使用者の下体に入り込んで不快感を起こさなく、使用中の活動性を向上できるボディシェイパーに関するものである。
【背景技術】
【０００２】
ボディシェイパーは、体にべったり特殊の裁縫によって緊縛力を発生して身体の外形を補正することが達成できる。ボディシェイパーは、主に体の上半身に対応するウエスト部と、体の下半身に対応する下腹部とが構成されている。現在市販のボディシェイパーは、ウエスト部と下腹部とを一体に構成する全身式ボディシェイパー及び、分離されている半身式ボディシェイパーに分けている。そして、その形式は様々である。
【０００３】
全身式ボディシェイパーや半身式ボディシェイパーであっても、垂れ尻を改善するために、ボディシェイパーは、使用者のお尻と腿部に延伸することがあり、また、トイレで便利に開放するために、ボディシェイパーの下部には、下体に対応するファスナー又は開口が設けられることがある。
【発明の概要】
【発明が解決しようとする課題】
【０００４】
しかしながら、体の陰部は、窪っている構成であるため、下部にファスナーを有するボディシェイパーは、使用者の活動に伴い腿部の移動によりそのファスナーが陰部に入り込んでしまうことがあるため、使用者は強烈に不快感を感じる。また、ボディシェイパーを装着する時に、一般には、外部に他の服を装着してボディシェイパーを隠すこともあり、ズボンが装着する時、その両足部を連接する箇所の生地がやや厚いため、使用者の活動によってその厚い生地の押圧により、前記ファスナーが陰部に入り込んでしまうことがありながら、使用者は更なる不快感を強烈に感じる。
【０００５】
また、ボディシェイパーは、緊縛力によって体の贅肉（脂肪）を内部に定位させ、ボディシェイパーによって包覆していない部位には、その贅肉が押圧されないため、そのままの形に維持してしまうと共に、包覆される部位の形とＭ字形の醜い形に形成してしまうことがある。この時、使用者は、他の服を装着すると、その醜い形がそのまま外観に反映するため、身体の外観に対して悪影響を与えることがある。
【課題を解決するための手段】
【０００６】
本発明の主な目的は、改良されたボディシェイパーを提供するものであり、そのボディシェイパーにおける本体の下部には、補強構造が設けられ、前記補強構造は、人体の陰部と接触する箇所に設けられることにより、ボディシェイパーの下部が人体の陰部に入り込んで不快感を起こすことを防止できる。
【０００７】
上述の目的を達成するために、前記補強構造は、使用者にトイレでボディシェイパーにおける前記本体の下部を開口する可能な第１のファスナーと、前記第１のファスナーを支持する複数の第２のファスナーとが構成され、複数の前記第２のファスナーは、前記第１のファスナーの両側に設けられることにより、前記補強構造の幅を向上し、且つ、前記第２のファスナーの硬さが前記第１のファスナーの硬さと等しい。よって、使用者は前記補強構造を有するボディシェイパーを装着して活動する時、前記第２のファスナーが前記第１のファスナーを支持することにより、前記第１のファスナーが使用者の陰部に入り込んでしまうことが防止できるため、前記ボディシェイパーの実用性を大幅に向上できる。
【０００８】
本発明の他の目的は、前記本体が使用者の陰部に入り込むことを防止できる以外に、使用者の腿部に形成される贅肉を隠すや修飾することが達成できるボディシェイパーを提供する。
【０００９】
上述の目的を達成するために、前記本体の尻部と腿部との連接箇所に三角形の補強部が設けられ、そこの緊縛力が前記本体の下縁部より大きく、腿部が前記補強部より圧迫される時、圧迫されない部位が下縁部によって隠され、見た目から醜い形が見えないので、修飾効果を達成でき、ひいては、使用者は、前記ボディシェイパーをそのまま装着して外出することができる。
【図面の簡単な説明】
【００１０】
【図１】本発明に係わるボディシェイパーの正面を示す参考図である。
【図２】本発明に係わるボディシェイパーの背面を示す参考図である。
【図３】本発明に係わるボディシェイパーの展開状態を示す一部参考図である。
【図４】本発明に係わるボディシェイパーの尻向上部を拡大する参考図である。
【図５】本発明に係わるボディシェイパーの使用状態を示す参考図である。
【図６】本発明に係わるボディシェイパーのほかの実施例を示す参考図である。
【図７】本発明に係わるボディシェイパーの更にほかの実施例を示す参考図である。
【発明を実施するための形態】
【００１１】
本発明の技術特徴とメリットを更に明白するために、具体的な実施例と合わせて添付図面によって詳細に説明するが、本発明は、これらの実施例に限られていない。
【００１２】
図１に示すように、本発明に係わるボディシェイパーは、全身式の本体（１００）を有し、前記本体（１００）は、内部生地（１３０）と外部生地（１４０）を縫製して構成され、装着部位に応じて身体の上半身に対応するウエスト部（１１０）と身体の下半身に対応する尻向上部（１２０）に分け、前記ウエスト部（１１０）には、複数の支持リブ（１１１）が設けられ、前記支持リブ（１１１）が横方向の縫製によって前記内部生地（１３０）と前記外部生地（１４０）との間に設けられ、その縫い線は、前記本体（１００）に伸縮性を有する複数の伸縮部（１１８）が横方向に形成されることにより、前記本体（１００）が縦方向に伸縮する効果を有させる。前記本体（１００）の正面には、前開口部（１１２）が設けられ、前記前開口部（１１２）の両側縁に複数の締まり部材（１１３）が設けられ、前記締まり部材（１１３）にひも部材（２００）によって繋がるとともに、前記ひも部材（２００）を引張ることにより、速やかに調整を行うことができる。
【００１３】
図２に示すように、前記本体（１００）の背面における前記尻向上部（１２０）には、縫製される複数の緊縛テープ（１２１）が設けられ、その縫製方式は前記支持リブ（１１１）と等しいため（図１を参照する）、前記緊縛テープ（１２１）にも複数の伸縮部（１１９）が設けられ、これらの緊縛テープ（１２１）の腿部における合流箇所には、三角形の補強部（１２２）が形成される。前記本体（１００）を装着する際、腿部は、前記三角形の補強部（１２２）の緊縛により窪って、緊縛されない箇所にそのままで醜い形が形成されるため、緊縛力が前記補強部（１２２）より低い下縁部にて緊縛されない腿部の一部を隠すことにより、醜い形の箇所を見えなくなることができるので、腿部の外観を修飾する効果が達成でき、ひいては、使用者は、ボディシェイパーの前記本体（１００）をそのまま装着して外出することができる。
【００１４】
図３に示すように、前記尻向上部（１２０）の外部生地（１４０）には、修飾用の隠すファスナー（１２３）が設けられ、前記隠すファスナー（１２３）は、前記尻向上部（１２０）の正面から背面まで延伸され、そして前記隠すファスナー（１２３）は、前記内部生地（１３０）に縫製されることにより、嵌合力の弱い前記隠すファスナー（１２３）が引張力によって開口してしまうことを防止でき、また、前記内部生地（１３０）と縫製しない部分には、距離（Ｄ）が形成される。使用者が運動する時、前記距離（Ｄ）は、引張力を受ける時に前記隠すファスナー（１２３）が両側へ延伸する空間を提供できる。また、前記内部生地（１３０）には、前記隠すファスナー（１２３）によって隠されると共に、使用者の下体位置に対応する補強構造（１２４）が設けられる。前記補強構造（１２４）は、前記本体（１００）の後部まで延伸する第１のファスナー（１２４１）が設けられ、使用者はトイレに行くとき、ボディシェイパー全体を外す必要がなく、前記隠すファスナー（１２３）と前記第１のファスナー（１２４１）を開放することにより、小便や排便することができる。前記第１のファスナー（１２４１）の両側には、それぞれ第２のファスナー（１２４２）が設けられることにより、前記補強構造（１２４）の幅を使用者の下体の幅と等しくさせる。また、前記第２のファスナー（１２４２）の硬さが前記第１のファスナー（１２４１）より大きくまたは等しくすることにより、使用時に前記第２のファスナー（１２４２）が前記第１のファスナー（１２４１）を支持することができるので、活動時に前記第１のファスナー（１２４１）が使用者の陰部に入り込むことを防止できる。
【００１５】
図３及び図４に示すように、前記前開口部（１１２）から前記尻向上部（１２０）まで一列以上の横列式締め金（１１４）が設けられ、前記尻向上部（１２０）における前記第１のファスナー（１２４１）の両側内縁には、それぞれ第１フック（１２５）と第２フック（１２６）が設けられる。これらの第１フック（１２５）は、前記本体（１００）を装着するときに、前記ひも部材（２００）と配合して用いるものであり（図１を参照する）、前記尻向上部（１２０）をアップさせることができる。前記第２フック（１２６）は、使用者の体形に応じて前記横列式締め金（１１４）に選択に引っ掛るものであり、前記第１フック（１２５）と前記第２フック（１２６）を利用して前記本体（１００）を装着するときに調整を行うことができる。また、前記横列式締め金（１１４）には、隠しプレート（１１５）が設けられ、前記本体（１００）を装着するとき、前記隠しプレート（１１５）が前記補強構造（１２４）の内側に位置して使用者の陰部に貼り合うことにより、前記補強構造（１２４）と使用者の陰部を分離させ、よって、使用者は、その上に整理用ナプキンやおりものシートを使用して前記本体（１００）の実用性を向上することができる。
【００１６】
図５に示すように、前記支持リブ（１１１）の一端は、前記本体（１００）の上縁に固定されるとともに、他端は、前記緊縛テープ（１２１）と連接可能な自由端であり、前記支持リブ（１１１）と前記緊縛テープ（１２１）における前記伸縮部（１１８）により、前記本体（１００）の延伸性と弾力性を向上することができる。使用者は前記本体（１００）を装着するとき、例えば前かがみになるとき、背中が前記ウエスト部（１１０）を支持することにより、前記支持リブ（１１１）の延伸と共に前記伸縮部（１１８）も延伸するので、前記支持リブ（１１１）の延伸空間を提供する。同時に、前記尻向上部（１２０）における三角形の補強部（１２２）が腿部に押圧して緊縛力を印加することにより、前記尻向上部（１２０）が動かなくなる。逆に、運動時に、前記緊縛テープ（１２１）延伸して、前記収縮部（１１８）が延伸空間を提供する効果を有するので、前記緊縛テープ（１２１）による引張力を分散でき、前記ウエスト部（１１０）がずれることがなくなる。よって、使用者は、前記本体（１００）を装着するとき、前記本体（１００）のずれにより常に調整を行う不便を防止できる。
【００１７】
図６に示すように、これは、本発明に係わるボディシェイパーのほかの実施例である。前記本体（１００）の背面には、前記本体（１００）の上縁から下方へ分岐して腿部とお尻部との連接箇所まで延伸する弾性の内部生地（１５０）が設けられ、前記弾性の内部生地（１５０）には、後開口部（１１６）が設けられ、前記後開口部（１１６）の両側には、それぞれ平行に複数の調整リング（１１７）が設けられ、前記ひも部材（２００）が左右交差に前記調整リング（１１７）に貫通することにより、前記本体（１００）を装着するとき、使用者の体形に応じて前記ひも部材（２００）で前記後開口部（１１６）の幅と前記本体（１００）の緊縛度を調整するすると共に、前記本体（１００）が使用者の体形に従って調整されることができるため、ダイエット中の使用者に好適である。また、痩せになる体形に応じて前記本体（１００）の緊縛度を調整することができるので、ダイエット中の使用者は、一件の本発明に係わるボディシェイパーだけで楽にダイエットすることができる。また、前記ひも部材（２００）が前記本体（１００）の拡張範囲を制限することにより、前記本体（１００）が使用者の体形による拡張し過ぎて前記本体（１００）の緊縛効果を失うことを防止できる。
【００１８】
図７に示すように、これは、本発明に係わるボディシェイパーの更に他の実施例であり、前記本体（１００）の背面は、使用者の身体外観を維持する効果を達成するための弾性力を有しない内部生地（１３０）である。
【００１９】
上述の説明は、本発明の好適な実施例に対する具体的な説明であるが、これらの実施例は本発明における特許請求の範囲を限定するものではなく、本発明の要旨に基づいてこれらの実施例の効果と等しい変形や変更して本発明を完成することができ、これらの変形や変更が本発明における特許請求の範囲に含まれるべきである。
【符号の説明】
【００２０】
１００            本体
１１０            ウエスト部
１１１            支持リブ
１１２            前開口部
１１３            締まり部材
１１４            横列式締め金
１１５            隠しプレート
１１６            後開口部
１１７            調整リング
１１８            伸縮部
１１９            伸縮部
１２０            尻向上部
１２１            緊縛テープ
１２２            補強部
１２３            隠すファスナー
１２４            補強構造
１２４１          第１のファスナー
１２４２          第２のファスナー
１２５            第１フック
１２６            第２フック
１３０            内部生地
１４０            外部生地
１５０            弾性の内部生地
２００            ひも部材
Ｄ                    距離
【図１】
2019035166.tif 000003
【図２】
2019035166.tif 000004
【図３】
2019035166.tif 000005
【図４】
2019035166.tif 000006
【図５】
2019035166.tif 000007
【図６】
2019035166.tif 000008
【図７】
2019035166.tif 000009